(57)【要約】衣服用ベルトは細長いストラップと、第１及び第２の脚部を有する閉鎖部材に特徴があり、当該第１及び第２の脚部は、それらの連結した端部で相互に接続され、当該連結した端部から互い離れるように分岐している。前記閉鎖部材は前記ベルトに近接したストラップの有効な端部間で接続され、前記細長いストラップ、Ｖ形状の閉鎖部材及びこれらの接続部によって定義されるウエストループを形成する。着用者の腰の周りに着用される衣服は、衣服の正面部上の上方境界から衣服のウエスト部に垂れ下がった開放した三角形のノッチに特徴がある。ベルト又はその閉鎖部材に類似した外観のＶ形状の付属品は、皮膚の露出した三角形部を見せる特有の外観を醸し出すために衣服と共に着用され得る。Ｖ形状の閉鎖部材又は付属品は、当該部材の脚部間にぶら下がった装飾的な貴金属片を支持し得る。【選択図】図１
2013525040.tif 000002
【特許請求の範囲】
【請求項１】
衣服用ベルトであって、
前記衣服用ベルトは、
細長いストラップであって、細長いストラップの端部の第１の有効な端部と細長いストラップの第２の有効な端部との間で定義された長さを有する、細長いストラップ、
連結した端部で相互接続され、かつ、連結した端部から互いに分岐する第１の脚部と第２の脚部とを備える、Ｖ字状の閉鎖部材、
細長いストラップの第１の有効な端部と、閉鎖部材の第１の脚部との間の第１の接続部、
細長いストラップの第２の有効な端部と、閉鎖部材の第２の脚部との間の第２の接続部、
細長いストラップ、Ｖ字状の閉鎖部材、第１と第２の接続部によって定義される、ウエストループ、
を備える、衣服用ベルト。
【請求項２】
細長いストラップの長さは調節可能である、請求項１に記載の衣服用ベルト。
【請求項３】
細長いストラップの少なくとも第１の有効な端部は、それぞれの折り重ねられた端部によって定義される、請求項１または２に記載の衣服用ベルト。
【請求項４】
細長いストラップがそれぞれの折り重ねられた端部でそれ自体の上に折り重ねられる距離が、調節可能である、請求項３に記載の衣服用ベルト。
【請求項５】
複数の取り付け点は、細長いストラップに沿って一定間隔を置いた位置で定義され、細長いストラップの折り重ねられた端部上の固定要素は、取り付け点のうちの任意の選択された１つに、折り重ねられた端部を取り付けるように動作可能である、請求項４に記載の衣服用ベルト。
【請求項６】
各々の取り付け点は、細長いストラップ内に穴を含み、該穴を通って、固定要素は係合可能である、請求項５に記載の衣服用ベルト。
【請求項７】
各々の締め付け要素は、取り付け点の選択された１つの穴を通って留めるために、折り重ねられた端部上で支持されるＬ字形状の突起部を含む、請求項６に記載の衣服用ベルト。
【請求項８】
第１の接続部は、細長いストラップよりも長さの短いストラップ部分を含み、該ストラップ部分は、閉鎖部材の第１の脚部に接続され、細長いストラップをそれ自体の上に折り重ねるために、細長いストラップの折り重ねられた端部が通り抜けるループを含む、請求項３乃至７のいずれか１つに記載の衣服用ベルト。
【請求項９】
第１の接続部は、閉鎖部材と細長いストラップの間で解放可能に係合されることによって、その間の選択的な分離を可能にする、請求項１乃至８のいずれか１つに記載の衣服用ベルト。
【請求項１０】
第１の接続部はフックを含む、請求項９に記載の衣服用ベルト。
【請求項１１】
第１の接続部は、第１の脚部上で定義されるスロットで、閉鎖部材に解放可能に係合される、請求項９または１０に記載の衣服用ベルト。
【請求項１２】
固定要素は、衣服着用時に閉鎖部材が配される位置で、衣服との係合のために、閉鎖部材の脚部の１つで支持される、請求項１乃至１１のいずれか１つに記載の衣服用ベルト。
【請求項１３】
固定要素はピンを含む、請求項１２に記載の衣服用ベルト。
【請求項１４】
ピンが定義される脚部の１つは、ピンに対して平行に伸長する、請求項１３に記載の衣服用ベルト。
【請求項１５】
第１と第２の脚部の間の閉鎖部材上で支持される装飾品が設けられる、請求項１乃至１４のいずれか１つに記載の衣服用ベルト。
【請求項１６】
装飾品は、連結された端部から距離を置いて、閉鎖部材の第１と第２の脚部からぶら下がる、請求項１５に記載の衣服用ベルト。
【請求項１７】
閉鎖部材の第１と第２の脚部から装飾品をぶら下げる、柔軟な支持体が設けられる、請求項１６に記載の衣服用ベルト。
【請求項１８】
装飾品は、別の装飾品と交換するために、閉鎖部材から着脱可能である、請求項１５乃至１７のいずれか１つに記載の衣服用ベルト。
【請求項１９】
各々の柔軟な支持体は、閉鎖部材への選択的な係合と閉鎖部材からの選択的な係脱のために、留め金を装備したチェーンを含む、請求項１７に記載の衣服用ベルト。
【請求項２０】
着用者の脚に少なくとも部分的に垂れ下がるように、着用者のウエストまわりに着用される衣服と組み合わせて用いられることによって、
前記衣服は、上方境界でウエスト開口部を定義するウエスト部分と、上方境界からウエスト部分にたれさがる開いたノッチを有しているため、開いたノッチの側面は、距離を置いて交わるべく、ウエスト部分の上方境界から下方に集中し、閉鎖部材は、閉鎖部材の脚部間の開かれた空間を、衣服の開いたノッチと一直線にするために衣服上に配置可能であることによって、一直線にあるときに着用される際に、一直線になった空間と開いたノッチとを介して、着用者の皮膚を露出させる、請求項１乃至１９のいずれか１つに記載の衣服用ベルト。
【請求項２１】
衣服は、開いたノッチから離れるように下方に伸長するフライを備え、ノッチの側はウエスト部分の上方境界よりも下で交わる、請求項２０に記載の組み合わせ。
【請求項２２】
衣服と閉鎖部材は、衣服の開いたノッチのもっとも近くで一緒に連結される、請求項２０または２１に記載の組み合わせ。
【請求項２３】
開いたノッチを囲む衣服の境界部分は、開いたノッチにおいて、衣服に閉鎖部材を固定するために、閉鎖部材のそれぞれの固定要素と係合可能な少なくとも１つの捕獲要素を支持する、請求項２０乃至２２のいずれか１つに記載の組み合わせ。
【請求項２４】
少なくとも１つの捕獲要素とそれぞれの固定要素は、磁石、および、衣服とＶ字状の閉鎖部材の反対側で支持される磁気的に引きつけられる材料を含む、請求項２３に記載の組み合わせ。
【請求項２５】
少なくとも１つの捕獲要素は、ノッチの一方の側に沿って伸長するチャネルを含み、それぞれの固定要素は、閉鎖部材の脚部のそれぞれ１つの上で支持される、チャネル内で収容するための寸法をした、ピンを含む、請求項２３に記載の組み合わせ。
【請求項２６】
開いたノッチに接するために、衣服にフィットした、かつ、衣服とは異なる材料のＶ字状体を含む、請求項２０乃至２５のいずれか１つに記載の組み合わせ。
【請求項２７】
衣服は、開いたノッチの一方の側に沿ってウエスト部分の上方境界から下方に伸長するとともに、両側がウエスト部分の上方境界よりも下で交わるノッチからさらに下方に続いている、フライを含み、フライが開くことによって、ノッチが形成される衣服の部分が、フライの反対側から離れて折り重ねられ得る、請求項２０に記載の組み合わせ。
【請求項２８】
衣服は、開かれたノッチのもっとも近くで支持される模様を含み、Ｖ字状の閉鎖部材は、模様とともに目に見える文字Ｖを定義することによって、ノッチと一直線上にあるときに着用される際に、名前やロゴを形成する、請求項２０乃至２７のいずれか１つに記載の組み合わせ。
【請求項２９】
衣服と付属品の組み合わせであって、
前記組み合わせは、
正面部、背面部、上方境界でウエストの開口部を定義するウエスト部分、および、衣服の正面部で上方境界からウエスト部分に垂れ下がる少なくとも１つの開いたノッチであって、その側面がウエスト部分の上方境界から下方へ集中することで、それよりも下の位置で交わる、ノッチ、を有する、衣服、および、
連結した端部で相互接続され、かつ、連結した端部から互いに分岐して離れる第１の脚部と第２の脚部とを備える、Ｖ字状の付属品部材であって、閉鎖部材は、閉鎖部材の脚部間の開かれた空間を、衣服の開いたノッチと一直線にする位置で衣服上に着用可能であることによって、一直線であるときに着用される際に、一直線になった空間と開いたノッチとを介して、着用者の皮膚を露出させる、Ｖ字状の付属品部材、
を含む、組み合わせ。
【請求項３０】
正面部、背面部、上方境界でウエストの開口部を定義するウエスト部分、および、上方境界からウエスト部分に垂れ下がる少なくとも１つの開いたノッチであって、その側面がウエスト部分の上方境界から下方へ集中することで、それよりも下の位置で交わる、ノッチ、を有する、衣服本体、および、
異なる材料と、衣服本体よりも大きな剛性とを有し、開いたノッチに接するように衣服本体にフィットする、Ｖ字状本体、
を含む、衣服。
【請求項３１】
衣服は、閉鎖部材の脚部間の開かれた空間を、衣服の開いたノッチと一直線にする位置で衣服に着用可能なＶ字状の付属品とともに組み合わされ、一直線であるときに着用される際に、一直線になった空間と開いたノッチとを介して、着用者の皮膚を露出させる、請求項３０に記載の衣服。
【請求項３２】
衣服用付属品であって、
前記衣服用付属品は、
連結した端部で相互接続され、かつ、連結した端部から互いに分岐して離れる第１の脚部と第２の脚部とを備える、Ｖ字状部材、
衣服用付属品を支持するように、衣服に係合させるためのＶ字状部材上の少なくとも１つの固定要素、および、
装飾品との選択的で解放可能な係合のために、Ｖ字状部材の第１と第２の脚部それぞれにある第１と第２の支持要素であって、連結した端部よりも上の位置においてＶ字状部材の第１と第２の脚部間の位置で装飾品を選択的にぶら下げる、第１と第２の支持要素、
を含む、衣服用付属品。
【発明の詳細な説明】
【技術分野】
【０００１】
本発明は一般的に衣服に関し、より具体的には、独特な視覚効果を提供するために、対応する衣服のウエストで、開いた三角ノッチの境界と一直線になって、それ自体で着用可能な、または、腰ベルト閉鎖部材として着用可能な、Ｖ字状の衣服用付属品に関する。
【背景技術】
【０００２】
人間の胴体の下肢を覆う衣類は、いくつかのタイプの固定システムによって適所で保持される。もっとも一般的な方法は、ベルトやベルトのバックルの使用を介したものである。ベルトは機能的に役立ち、その主たる目的は、ゆったりとした衣服を適所に保持することである。現代的な伸縮性の織物は、ベルトとバックルの使用を必要としなくてもよいが、これらのアイテムは、主要な美的なファッションの付属品としても役立つ。ベルトおよびベルトのバックルの両方は、多くの形状、大きさ、デザイン、および、材料の形で売られている。
【０００３】
ベルトとバックルの基本的なデザインは、初めからさほど劇的には変わっていない。しかし、流行、スタイル、および、アクセサリーは、長年にわたって変化し、重要な市場牽引を獲得してきた。ローカットジーンズ、スーパーローカットジーンズ、ブラジリアンジーンズなどのスタイルへのトレンドで、身体の腹部の皮膚をますます露出するようになっている。このトレンドは、女性のほうで著しい。ベルトとバックルの伝統的なデザインはこのトレンドを妨げはしないものの、このトレンドに美的な価値を加えるものでもない。
【０００４】
流行を追う女性たちは、自然な体型を強調したり、自分を見る他人に視覚的なインパクトを残したりすることを一般的にほのめかす、衣服や付属品を切望している。したがって、美や性などの言葉は、流行と、適切な場所かつ程度での肌の特定の露出度との両方と同義である。谷間、脚、へそ、腹は、前も後も、そのような露出の主たる例である。
【０００５】
我々の課題は、したがって、露出度の高いやり方で皮膚を露出するバックルのデザインによって、視覚的な要素を加えながら、ウエストタイプの衣服を適所で固定することによって機能を果たす、ベルトおよびバックルシステムを設計することである。本明細書で開示される衣服と付属品の設計は、いくつかの実施形態のベルトバックル要素内に、美的な宝石構成要素を追加することを介して、美的な魅力を加えることを含む、これらの目的を達成する。
【発明の概要】
【課題を解決するための手段】
【０００６】
本発明の第１の態様によれば、衣服用ベルトが提供され、
該ベルトは、
細長いストラップであって、細長いストラップの端部の第１の有効な（ｅｆｆｅｃｔｉｖｅ）端部と細長いストラップの第２の有効な端部との間で定義された長さを有する、細長いストラップ、
連結した端部で相互接続され、かつ、連結した端部から互いに分岐する第１の脚部と第２の脚部とを備える、Ｖ字状の閉鎖部材、
細長いストラップの第１の有効な端部と、閉鎖部材の第１の脚部との間の第１の接続部、
細長いストラップの第２の有効な端部と、閉鎖部材の第２の脚部との間の第２の接続部、
細長いストラップ、Ｖ字状の閉鎖部材、第１と第２の接続部によって定義される、ウエストループ、
を備える。
【０００７】
好ましくは、細長いストラップの長さは調節可能である。
【０００８】
好ましくは、細長いストラップの少なくとも第１の有効な端部は、それぞれの折り重ねられた端部によって定義される。
【０００９】
好ましくは、細長いストラップがそれぞれの端部でそれ自体の上に折り重ねられる距離は、調節可能である。
【００１０】
好ましくは、複数の取り付け点は、細長いストラップに沿って一定間隔を置いた位置で定義され、細長いストラップの折り重ねられた端部上の締め付け要素は、取り付け点のうちの任意の選択された１つに、折り重ねられた端部を取り付けるように動作可能である。
【００１１】
好ましくは、各々の取り付け点は、細長いストラップ内の穴を含み、該穴を通って、固定要素は係合可能である。
【００１２】
好ましくは、各々の締め付け要素は、取り付け点の選択された１つの穴を通って留めるために、折り重ねられた端部上で支持されるＬ字形状の突起部を含む。
【００１３】
好ましくは、第１の接続部は、細長いストラップよりも長さの短いストラップ部分を含み、該ストラップ部分は閉鎖部材の第１の脚部に接続され、細長いストラップをそれ自体の上に折りたたむために、細長いストラップの折り重ねられた端部が通り抜けるループを含む。
【００１４】
好ましくは、第１の接続部は、閉鎖部材と細長いストラップの間で解放可能に係合されることによって、その間の選択的な分離を可能にする。
【００１５】
好ましくは、第１の接続部はフックを含む。
【００１６】
好ましくは、第１の接続部は、その第１の脚部上で定義されるスロットで、閉鎖部材に解放可能に係合される。
【００１７】
好ましくは、固定要素は、衣服着用時に閉鎖部材が配される位置で、衣服との係合のために、閉鎖部材の脚部の１つで支持される。
【００１８】
好ましくは、固定要素はピンを含む。
【００１９】
好ましくは、ピンが定義される脚部の１つは、それに対して平行に伸長する。
【００２０】
好ましくは、第１と第２の脚部の間の閉鎖部材上で支持される装飾品が設けられる。
【００２１】
好ましくは、装飾品は、連結された端部から距離を置いて、閉鎖部材の第１と第２の脚部からぶら下がる。
【００２２】
好ましくは、閉鎖部材の第１と第２の脚部から装飾品をぶら下げる、柔軟な支持体が設けられる。
【００２３】
好ましくは、装飾品は別の装飾品と交換するために、閉鎖部材から着脱可能である。
【００２４】
好ましくは、各々の柔軟な支持体は、閉鎖部材への選択的な係合と閉鎖部材からの選択的な係脱のために、留め金を装備したチェーンを含む。
【００２５】
衣服用ベルトは、好ましくは、着用者のウエストまわりに着用される衣服と組み合わせて用いられ、該衣服は、上方境界でウエスト開口部を定義するウエスト部分と、上方境界からウエスト部分にたれさがる（ｄｅｐｅｎｄ  ｉｎｔｏ）開いたノッチを有しているため、開いたノッチの側面は、距離を置いて交わるべく、ウエスト部分の上方境界から下方に集中し、閉鎖部材は、閉鎖部材の脚部間の開かれた空間を、衣服の開いたノッチと一直線にするために衣服上に配置可能であることによって、一直線にあるときに着用される際に、一直線になった空間と開いたノッチとを介して、着用者の皮膚を露出させる。
【００２６】
衣服は、開いたノッチから離れるように下方に伸長するフライを備え、ノッチの側はウエスト部分の上方境界よりも下で交わる。
【００２７】
好ましくは、衣服と閉鎖部材は、衣服の開いたノッチのもっとも近くで一緒に連結される。
【００２８】
好ましくは、開いたノッチを囲む衣服の境界部分は、開いたノッチで衣服に閉鎖部材を固定するために、閉鎖部材のそれぞれの固定要素と係合可能な少なくとも１つの捕獲要素を支持する。
【００２９】
少なくとも１つの捕獲要素とそれぞれの固定要素は、磁石を含んでもよく、および、衣服とＶ字状の閉鎖部材の反対側で支持される磁気的に引きつけられる材料を含んでもよい。
【００３０】
好ましくは、少なくとも１つの捕獲要素は、ノッチの一方の側に沿って伸長するチャネルを含み、それぞれの固定要素は、閉鎖部材の脚部のそれぞれ１つの上で支持される、チャネル内で収容するための寸法をした、ピンを含む。チャネルは、開いたノッチの一方の側で衣服の折り重ねられた部分を含んでもよい。
【００３１】
組み合わせは、好ましくは、開いたノッチに接するために、衣服にフィットした、衣服とは異なる材料で、かつ、Ｖ字状の材料を含む。
【００３２】
衣服は、開いたノッチの一方の側に沿ってウエスト部分の上方境界から下方に伸長するとともに、両側がウエスト部分の上方境界よりも下で交わるノッチからさらに下方に続いている、フライを含み、フライが開くことによって、ノッチが形成される衣服の部分を、フライの反対側から離れて折り重ねられ得る。
【００３３】
衣服は、開かれたノッチのもっとも近くで支持される模様を含んでもよく、Ｖ字状の閉鎖部材は、模様とともに目に見える文字Ｖを定義することによって、ノッチと一直線上にあるときに着用される際に、名前やロゴを形成する。
【００３４】
本発明の第２の態様によれば、着用者のウエストまわりに着用される衣服が提供され、
該衣服は、
正面部、
背面部、
上方境界でウエストの開口を定義するウエスト部分、および、
衣服の正面部で上方境界からウエスト部分に垂れ下がる開いたノッチであって、開いたノッチの側面がウエスト部分の上方境界から下方へ集中することで、それ以下の距離を置いて交わる、ノッチ、
を含む。
【００３５】
本発明の第３の態様によれば、衣服と付属品の組み合わせが提供され、
前記組み合わせは、
正面部、背面部、上方境界でウエストの開口を定義するウエスト部分、および、衣服の正面部で上方境界からウエスト部分に垂れ下がる少なくとも１つの開いたノッチであって、その側面がウエスト部分の上方境界から下方へ集中することで、それ以下の距離を置いて交わる、ノッチ、を有する、衣服、
連結した端部で相互接続され、かつ、連結した端部から互いに分岐して離れる第１の脚部と第２の脚部とを備える、Ｖ字状の付属品部材であって、閉鎖部材は、閉鎖部材の脚部間の開かれた空間を、衣服の開いたノッチと一直線にする位置で衣服上に着用可能であることによって、一直線であるときに着用される際に、一直線になった空間と開いたノッチとを介して、着用者の皮膚を露出させる、Ｖ字状の付属品部材、
を含む。
【００３６】
本発明の第４の態様によれば、衣服が提供され、
前記衣服は、
正面部、背面部、上方境界でウエストの開口を定義するウエスト部分、および、上方境界からウエスト部分に垂れ下がる少なくとも１つの開いたノッチであって、その側面がウエスト部分の上方境界から下方へ集中することで、それ以下の距離を置いて交わる、ノッチ、を有する、衣服本体、および、
異なる材料と、衣服本体よりも大きな剛性とを有し、開いたノッチに接するように衣服本体にフィットする、Ｖ字状本体、
を含む。
【００３７】
衣服は、好ましくは、閉鎖部材の脚部間の開かれた空間を、衣服の開いたノッチと一直線にする位置で衣服に着用可能なＶ字状の付属品とともに組み合わせて使用されることで、一直線であるときに着用される際に、一直線になった空間と開いたノッチとを介して、着用者の皮膚を露出させる。
【００３８】
本発明の第４の態様によれば、衣服用付属品が提供され、
前記衣服用付属品は、
連結した端部で相互接続され、かつ、連結した端部から互いに分岐して離れる第１の脚部と第２の脚部とを備える、Ｖ字状部材、
衣服用付属品を支持するように、衣服に係合させるためのＶ字状部材上の少なくとも１つの固定要素、および、
装飾品との選択的で解放可能な係合のために、Ｖ字状部材の第１と第２の脚部それぞれにある第１と第２の支持要素であって、連結した端部よりも上の位置でＶ字状部材の第１と第２の脚部間の位置で装飾品を選択的にぶら下げる、第１と第２の支持要素、
を含む。
【図面の簡単な説明】
【００３９】
添付の図面は、本発明の典型的な実施形態を示している。
【図１】着用者によって飾られるような組み合わせにおける、本発明の第１の実施形態の衣服と衣服用ベルトの正面図である。
【図２】図１の衣服用ベルトの閉鎖部材の側面図である。
【図３】図２の閉鎖部材の背面図である。
【図４】図３の閉鎖部材の部分拡大背面図である。
【図５】本発明の第２の実施形態の衣服用ベルトの閉鎖部材の背面図である。
【図６】着用者によって飾られるような第２の実施形態の衣服用ベルトの部分的な正面図である。
【図７】着用時にベルトの閉鎖をもたらすために、第２の実施形態の衣服用ベルトの長めのメインストラップを、閉鎖部材に相互接続させるために使用される、フックを装備したストラップ部分の俯瞰図である。
【図８】メインストラップの長さを調節することで、着用者のウエストまわりにフィットするためにベルトのサイズ変更を可能にする、メインストラップの折り重ねられた端部を用いて、メインストラップがどのようにしてより短いストラップ部分に接続されるかを示すために、部分的に切断された図７の拡大した部分を示す。
【図９】着用者のウエストまわりでベルトを閉じるように、メインストラップの反対の有効な端部で固定される２つのストラップ部分間の閉鎖部材の接続を例証するために、第２の実施形態の衣服用ベルトの閉鎖部材の水平断面の俯瞰図である。
【図１０】衣服用ベルトが取り除かれた図１の衣服の部分正面図であるが、衣服への接続を示すためにベルトの閉鎖部材の固定ピンを示している。
【図１１】本発明の第３の実施形態による衣服の部分正面図である。
【図１２】着用時の図１１の衣服の部分背面図である。
【図１３】着用時の図１１の衣服の部分正面図である。
【図１４】着用時の図１１の衣服の部分側面図である。
【発明を実施するための形態】
【００４０】
図１は本発明の衣服用ベルト（１０）および付随するジーンズ（１００）を示す。ベルト（１０）は、従来のベルトバックルの代わりにＶ字状の閉鎖部材（１２）に特徴があり、ウエストの上部境界でジーンズに形成された逆三角形のノッチをもつＶの分岐する脚部間の開放空間に整列する位置に、ジーンズ（１００）のウエストの周りに着用される。これは、衣服のウエスト背面部の従来は隠されていた皮膚の三角形領域の露出を生じ、特有の外観を結果として生じる。示されるように、Ｖ字状の閉鎖部材は、着用者の皮膚によって提供される背景に対してＶ字状の上向きの突出する脚部の間にぶら下げられた１個の装飾的な貴金属（１４）が設けられ得る。
【００４１】
第１の実施形態の閉鎖部材（１２）は、図２〜４に、より詳細に示されている。閉鎖部材（１２）は金属または他の剛性を有する材料で製造されており、互いに斜めの角度で上方に離れるように分岐する同じ長さの２つの直線状に延びる脚部（１６ａ）、（１６ｂ）に特徴があり、当該２つの脚部の一体的に連結された底部側端部の上の当該２つの脚部間に逆三角形の空間を残す。ベルトが飾られる場合、閉鎖部材の正面部は着用者の反対側に面して、第１の実施形態の図において平坦又は面状に例示されているが、図９における第２の実施形態の断面図によって表されるような他の形作られた表面または輪郭を備えた表面を有し得る。閉鎖部材の第１の脚部（１６ａ）は、その正面部に対向し、かつ平行な脚部（１６ａ）の平坦な背面部に固定された固定ピン（１８）に特徴がある。ピン（１８）の上端部（１８ａ）は、その上端に近接する第１の脚部（１６ａ）に堅く固定され、その平坦な背面部から短い距離をおいて平行な方向に第１の脚部（１６ａ）に沿って下向きに突出するピンの自由な下部シャフト部（１８ｂ）を残し、その頂部端部における二つの接続の場合を除いてピンと閉鎖部材の間の隙間（Ｇ）を残す。
【００４２】
図２を参照すると、第１の側部スロット（２０ａ）が閉鎖部材（１２）の第１の脚部（１６ａ）に設けられ、第２の脚部（１６ｂ）の反対の第１の脚部（１６ａ）の外側からその内部に延びる深さを有する。また第１の背面部スロット（２２ａ）が第１の脚部（１６ａ）に設けられ、閉鎖部材（１２）の背面部からその内部に延びるが、完全に貫通しない深さを有している。この二つのスロットの深さは、閉鎖部材の第１の脚部（１６ａ）の内部で互いに完全に連通するように存在し、第１の脚部（１６ａ）を貫いて延び、第１の脚部（１６ａ）の外側から侵入し、ついでその背面部を貫いて存在する直角のＬ字状通路を定義する。固定ピン（１８）は、第２の脚部（１６ｂ）に最も近い第１の脚部（１６ａ）の内側に隣接して位置し、図３および４に示されるように、ピン（１８）と第１の脚部（１６ａ）の外側の間の位置に第１の背面部スロット（２２ａ）のための空間を残す。第１の脚部（１６ａ）における連通するスロット（２０ａ）、（２２a）は、その背面部スロット（２２ａ）の上と下の第１の脚部を完全に横切って無傷に残った第１の背面部の全幅部間で第１脚部（１６ａ）の外側部と背面部に沿った部位に第１の脚部（１６ａ）の部分（２４ａ）を残す。
【００４３】
第２の側部スロット（２０ｂ）は閉鎖部材（１２）の第２の脚部（１６ｂ）に設けられ、第１の脚部（１６ａ）の対向する外側から内側に延びる深さを有している。第２の背面部スロット（２２ｂ）も第２の脚（１６ｂ）に設けられ、閉鎖部材（１２）の背面部からその内部に延びるが、完に貫通しない深さを有している。これらの２つのスロットの、閉鎖部材の第２の脚（１６ｂ）の内部で互いに完全に連通するように存在し、第２の脚部（１６ｂ）を貫いて延び、第１の脚部（１６ｂ）の外側から侵入し、ついでその背面部を貫いて存在する直角のＬ字状通路を定義する。第２の脚部（１６ｂ）内で連通するスロット（２０ｂ）、（２２ｂ）は、第２の脚部の背面部スロット（２２ｂ）の上と下の第２の脚部を完全に横切って無傷に残された第２の脚部（１６ｂ）の背面部の全幅部間の第２の脚部（１６ａ）の外側と背面部側に沿った部位における第２の脚部（１６ｂ）の部分（２４ｂ）を残す。
【００４４】
図３および４を参照すると、第１の脚部（１６ａ）のスロット（２０ａ）、（２２ａ）およびそれによって定義された通路は、これらの２つの端部から第１の脚部の頂部端部と底部端部の間で位置づけられ、閉鎖部材のＶ字形状の対称軸を横切る第２の脚部（１６ｂ）におけるスロット（２０ｂ）、（２２ｂ）と位置が調整される。従って、図３に示されるように、第２の脚部（１６ｂ）におけるスロット（２０ｂ）、（２２ｂ）は、第１の脚部（１６ａ）における第２脚部のスロット（２０ａ）、（２２ａ）のように、脚部のこれら端部から同一の距離における底部端部および頂部端部の間で、上方および下方ではあるが、位置づけられる。それぞれの脚における各背面部スロットによって定義された開口は、Ｖ形状の対称軸に平行に配列された長さを有し、その結果、図示された実施形態における開口のスロット状の形状によって定義される長さ方向の側部は、Ｖ字状の閉鎖部材が垂直に位置する対称軸に関して直立して配向されたときに、垂直に配向される。
【００４５】
小さい第１のループ（２８ａ）は、閉鎖部材（１２）の第１の脚部（１６ａ）の頂部端部に近接して定義され、対応する小さい第２のループ（２８a）は閉鎖部材（１２）の第２脚部（１６ｂ）の頂部端部に近接して定義される。第１の実施形態では、これらの小さなループの各々は、閉鎖部材の平坦な背面部表面に固定された自由端を有するチェーンのそれぞれ半リンクによって定義され、その結果、その自由端に対向する前記半リンクの曲がった端部がＶの脚部間の領域内部の短い距離だけ突出する。図３において、第１のループ（２８ａ）は第１の脚部（１６ａ）のピン（１８）の固定部（１８ａ）の傍または固定部（１８ａ）において第１の脚部の背面部表面に堅く締め付けられたチェーンの半リンクによって定義され、第２のループ（２８ｂ）はＶ字形の２つの脚部間の対称の面を横切って第１のループ（２８ａ）と位置が調整された位置で第２の脚部の背面部平坦面に堅く締め付けられたチェーンの半リンクによって定義される。チェーンの第１の半リンクはこうして、第１の脚部の背面部又はピン（１８）の固定部（１８ａ）と協働して、閉鎖部材の背面部の面の背部又は背部から短い距離の開口を定義する第１の閉じられたループ（２８ａ）を定義し、チェーンの第２の半リンクは、第２の脚部の背面部と協働して、閉鎖部材の背面部の面の開口を定義する。
【００４６】
図１を参照すると、ベルト（１０）は、ユーザーのウエストの周りに装着される寸法をもち得る閉じたループを形成する閉鎖部材へのこのストラップの連結を協働し得る１つのメインベルトストラップ（３０）に特徴がある。長いメインストラップは対向する二つの自由端（３２ａ）、（３２ｂ）を有する単一の部材であり、本明細書において以下に記載された方法でメインベルトストラップの残りに裏返して折り重ねられ得、その結果、Ｖ形状の閉鎖部材の個々の脚部に対して、ストラップの結果として生じる有効となる連結を確立するのに役立つ折り重ねられた端部を形成する。
【００４７】
図１０は、衣服のウエスト（１０４）の上部の境界（１０４ａ）から下方に依存する逆三角形状の開いたノッチ（１０２）を有するジーンズ（１００）を示す。ウエスト部分（１０４）は従来の衣服におけるようなウエスト開口を定義する。しかし、ノッチ（１０２）により、ジーンズの前チャックが閉じられたとき、従来のジーンズのように、ウエスト部分の上部の境界（１０４ａ）はウエスト開口の周りを完全には囲まない。衣服が装着又は平坦にされたとき、その外観に関して述べると、ノッチ（１０２）は、衣服のウエストの上部境界（１０４ａ）から下方に向かい、ウエストから下方に特定の距離で交わる、斜めに傾斜した第１および第２の側部（１０６ａ）、（１０６ｂ）に特徴がある。ノッチ（１０２）の側部（１０６ａ）、（１０６ｂ）間の角度は、ベルトの閉鎖部材（１２）の脚部（１６ａ）、（１６ｂ）間の角度に等しく、閉鎖部材の二つの脚部（１６ａ）、（１６ｂ）の等しい長さは、一般的にノッチの二つの側部（１０６ａ）、（１０６ｂ）の長さに等しいか、或いはノッチの二つの側部（１０６ａ）、（１０６ｂ）の長さより僅かに大きい。したがって、閉鎖部材の脚部間の解放した領域は、ジーンズの三角形の開放ノッチ（１０２）と整列する。その結果、閉鎖部材の脚部はノッチ（１０２）の側部と重なるか、或いは該側部を覆い、装着者の皮膚の三角形領域に対する開放窓は、これら整列した開放空間によって設けられる。
【００４８】
図１０に示されるように、ジーンズ（１００）は、ノッチ（１０２）の第１の側部（１０６ａ）で内部に折り重ねられ、ジーンズ（１００）のこの折り重ねられたフラップ（１０８）はその第１の側部（１０６ａ）に平行に縫合され、その結果、ジーンズの折り重ねられた部分はノッチ（１０２）の第１の側部（１０６ａ）に沿ったウエストの上部境界（１０４ａ）から下方に延びるトンネル状又は管状の通路（１１０）を定義する。ジーンズ（１００）に対してベルト（１０）の閉鎖部材（１２）を解除可能に固定するために、ジーンズ（１００）の閉鎖部材（１２）の固定ピン（１８）の自由なシャフト部（１８ｂ）は、上から管状の通路（１１０）内に挿入される。閉鎖部材は、ピン（１８）の自由端と管状の通路（１１０）が縫合されて、閉じられた底部自由端部との接触により、又はピンの固定部（１８ａ）とジーンズの正面部における管状の通路（１１０）の側部上の閉鎖部材の背面部との間の堅い連結部を取り付けることによってジーンズ上に着座される。下面がピンと閉鎖部材背面部の間の隙間（Ｇ）によって確保されるボア状の管状通路内のピンの受取は、閉鎖部材とジーンズの間の枢着又は回転接続を確立する。図示された実施形態では、ピン（１８）は閉鎖部材の第１の脚部のほぼ全長延び、管状通路（１１０）は、これら２つの要素によって確立される回転接続長さを最大にするためにノッチ（１０２）の第１の側部境界の全長分延び、それによってジーンズに対するピンと閉鎖部材の手動回転の間、通路（１１０）からピンの不注意による引っ込みの可能性を最小にする。
【００４９】
ジーンズにはジッパー又はボタンフライ（１１４）が設けられていて、その開口はノッチ（１０２）の底部と連通し、その結果、ジッパー又はフライのボタン締め付け配列が非係合になったとき、開放したフライはノッチによって別の方法で提供された開口からジーンズの正面部開口を拡大する。ノッチ（１０２）の結果として、フライは同じ上昇部（ウエストラインとクロッチ（ｃｒｏｔｃｈ）の間の距離）をもつ従来のジーンズより長さが短い。ジーンズには、またウエスト開口の周りに沿った離間した位置でのウエスト部上に従来のベルトループ（１１５）が設けられている。ベルトの装着者がフライを解放したいとき、まずその折り重なった第２の自由端（３２ｂ）によって定義されたメインベルトストラップ（３０）の第２の有効端部は閉鎖部材の第２の脚部から離脱され、ノッチの第２の側部に隣接したジーンズの正面部への以前の固定位置から閉鎖部材の第２の脚部を解放する。その後、ノッチの第２の側部から第２の脚部を移動するために、閉鎖部材は、閉鎖位置から回転し、ノッチの第２側部へと旋回し、それによって、ノッチ（１０２）の底部でのフライ（１１４）の頂部へのアクセスを自由にする。従来のやり方で、ジーンズのベルトループは、このプロセスの間にジーンズ上でベルトのストラップを保持する。
【００５０】
同様の初期プロセスで始まるベルトの完全な除去するには、まず、閉鎖部材からのメインストラップ（３０）の第２の有効な端部を分離する。その後、閉鎖部材は、管状通路（１１０）からピン（１８）を完全に上げるために、ノッチ（１０２）の第１の側部に平行な斜め方向に上げられ、それによって、閉鎖部材とのすべての直接の接続から閉鎖部材を解放するために、ジーンズから閉鎖部材の第１の脚部を解放する。その後、ベルトのストラップ組立体は、その上のベルトループからストラップ組立体全体を引き抜くために、ジーンズのウエストの周りでメインストラップの自由な第２の端部を引くことにより、メインストラップの第１の折り重ねられた端部にまだ固定されている閉鎖部材を引くことジーンズから除去される。代替的に、ストラップの第１の有効な端部も第２の有効な端部と同じ方法で閉鎖部材から分離され得る。その場合、ストラップ組立体はついで、ストラップのいずれかの自由端を引くことにより、ベルトループから引き抜かれ得、閉鎖部材が、まだ適所にあるか、あるいはピンの引き抜きによってそこから除去されている。第１のオプションは、いくつかの場合において、ストラップ組立体を備える閉鎖部材の第１の脚部を再接続する必要なしに同一または異なる衣類と共にベルトの後の再使用を可能にするので、好ましい。しかし、ストラップ組立体と閉鎖部材を完全に分離することが有利である、またはジーズの管状通路から閉鎖部材のピンの引き抜きを可能にするために、そうする必要がある場合がある。そのような分離は、ストラップ組立体又は閉鎖部材の、異なる外観の他のストラップ若しくは閉鎖部材との置換を可能にするだろう。それによって異なる形状、色彩、パターン、デザイン、装飾を有するストラップ及び閉鎖部材の異なる組み合わせを可能にする。
【００５１】
第２の実施形態の衣服用ベルト（１０’）の閉鎖部材（１２’）を示す図５は、貴金属（１４’）の装飾的な部分がどのようにＶ字状の閉鎖部材の脚部間でぶら下げられるかを図示する。貴金属部（１４’）は、その反対側に固定され、及びその上に貴金属を掛けるために閉鎖部材上の第１及び第２ループ（２８ａ）、（２８ｂ）を選択的に固定するための貴金属部に対向するチェーン長さの端部に貴金属の締め金を運ぶ、柔軟性のある貴金属チェーンの短い長さを有する。第１のチェーン長さ（４０ａ）は、閉鎖部材（１２’）の第１の脚部（１６ａ）に最も近い貴金属部の第１の側面から伸び、貴金属部へのその接続部に対向するその端部に第１の締め金（４２ａ）を運び、貴金属部（１４ａ）がその上の距離で脚部の連結された下端部上に集中させられる時、第１の脚部（１６ａ）の上の第１のループ（２８ａ）に達するのに十分な長さである。同様に、第２のチェーン長さ（４０ｂ）は、閉鎖部材（１２’）の第２の脚部（１６ｂ’）に最も近い貴金属部の第２の側面から伸び、貴金属部へのその接続部に対向するその端部に第２の締め金（４２ｂ）を運び、第２の脚部（１６ｂ’）の上の第２のループ（２８ｂ）に達するのに十分な長さである。締め金が閉鎖部材上の吊り下げループ２８ａ、２８ｂに接続されると、貴金属は、Ｖ字状の閉鎖した下部の上に吊り下げるためにＶ字状部材の脚部の上端部の近くからぶら下げられる。
【００５２】
図１における第１実施形態に図示されるように、チェーンの２つの長さは、両端で締め金を有する単一のチェーンと交換してもよく、その場合、装飾的な部分は、単一のチェーンから、好ましくはそれに沿った中央の位置でぶら下げられる。あるいは、チェーン自体は、閉鎖部材の上にぶら下げられた貴金属または装飾のみを形成し得る。締め金または他の解放可能なファスナーの使用は、閉鎖部材上の異なる貴金属または装飾の交換を可能にする。柔軟性のない支持体は、Ｖ字状の脚部の間の装飾的な構成部品を位置付けるために代わりに使用され得るが、装飾的な貴金属部のぶら下げにおいてある程度のたるみを備えたチェーンまたは他の柔軟性のある支持体の使用は、前記部の動きを可能にし、それにより提供される人目を引く魅力を加える。当然のことながら、フックが係合可能な開口は、閉鎖部材に固定される十分か部分的な結合による、例えば、各脚の前面からその対向する背面部までにＶ字状の閉鎖部材の脚部を通り抜ける穴を通して使用することによる以外の方法で、貴金属の締め金又はフックによるその接続のために提供され得る。別の実施形態において、締め金又はフックは、リンク、ループまたはＶ字状の脚部の間でぶら下げられる貴金属部又は組立体における他の穴を介して係合するため、Ｖ字状の部材上に提供され得る。
【００５３】
第２の実施形態の閉鎖部材（１２’）は、ストラップ組立体と閉鎖部材の間の接続をもたらすために、Ｖ字状の閉鎖部材におけるスロットを使用しない。代わりに、図５および９に関して、閉鎖部材（１２’）は、スロットを、Ｖ字状部材の脚部の他の水平な背面部から突出し、及びその実質的に十分な長さに及ぶ隆起した形状（ｐｒｏｆｉｌｅ）（５０ａ）、（５０ｂ）と交換することに特徴がある。断面図において（Ｖ字状の閉鎖部材が脚部の間の対称の平面に対して垂直な平面にある、図９の横断面を参照）、各形状（５０ａ）、（５０ｂ）は、各Ｖ字状の脚部（１６ａ’）、（１６ｂ’）の背面部から垂直に突出する第１部分（５２ａ）、（５２ｂ）、及びそれに対して平行な方向におけるＶ字型の脚部の背面部からの距離で第１部分（５２ａ）、（５２ｂ）から横方向に外側へ突出する平面的なフランジ又は突起（５４ａ）、（５４ｂ）に特徴がある。各形状（５０ａ）、（５０ｂ）の第１部分（３２ａ）、（５２ｂ）は、各Ｖ字状の脚部（１６ａ’）、（１６ｂ’）の背面部と平行である平坦な背面部（５６ａ）、（５６ｂ）を提供するために、フランジ部分（５４ａ）、（５４ｂ）が突き出る場所を突き抜けて伸びる。第２実施形態のピン（１８’）は、そのＶ字状の脚部の背面部に対する第１の実施形態のピンの相対的な位置付けに対応する方法で、そこから短い距離で、形状の背面部に沿って伸びる、その上端部に隣接した第１の脚部（１６ａ’）の背面部上の、隆起した形状（５０ａ）の背面部（５６ａ）に固定される。
【００５４】
ベルトのメインストラップと閉鎖部材の間の接続を記載する図６乃至８に関して、第２実施形態のベルトストラップ（３０’）の各端部（３２ａ’）、（３２ｂ’）は、ストラップの残りの上で裏返して折り重ねられる。メインベルトストラップ（３０’）の、結果として生じる、裏返して折り重ねられた端部は、メインストラップ（３０’）より著しく短い長さであるが、その厚さと幅は同様又は等しいストラップ部（６２）の背面部または内面部上で定義された、ベルトループ（６０）を通り抜ける。ベルトループ（６０）は、その一端に隣接したストラップ部（６２）の背面にわたって伸び、Ｊ字状のフック（６４）は、折り重ねられてベルトループ（６０）を通る時にメインストラップ３０が伸張する反対方向において、そこから長手方向に突出するように、リベットで留める、又はそうでなければその反対の端部に隣接するストラップ部（６２）に固定される。図６および９に関して、メインストラップ（３０’）及びストラップ部（６２）は、ストラップ部（６２）上のベルトループ（６０）を通った後にそれ自体にメインストラップの折り重ねられた端部を締め付けることにより共に固定され、その折り重ねられた端部の折り目にて定義されたメインストラップの有効な端部は、各Ｖ字状の脚部（１６ａ’）、（１６ｂ’）の背面上の隆起した形状（５０ａ）、（５０ｂ）のフランジ部分（５４ａ）、（５４ｂ）において、穴又はスロットを通るＪ字状のフック部材（６４）の自由端部を係合することにより、ストラップ部（６２）を介して、Ｖ字状の閉鎖部材（１２’）の各脚部に接続される。
【００５５】
図６に示されるように、ベルトのメインストラップ（３０’）は、穴（６６）の２つの並行な列、ストラップの幅にわたる他の列から間隔を置いた各位置でストラップの長手方向に伸びる各列、およびストラップに沿った他の列における各穴を整列する各列における、各穴に特徴がある。各列における各２つの隣接する穴の間の間隔は等しい。従って、メインストラップ（３２ｂ’）の端部が、メインストラップ（３０）のメインストラップの残りにわたり裏返して折り重ねられ、メインストラップの有効な端部を形成し、図７に示されるようなそれぞれのストラップ部（６２）上でベルトループ（６０）を通って曲がると、メインストラップの折り重ねられた端部の穴は、端部（３２ｂ’）が折り重ねられたメインストラップの部分における同じ列の各穴と一直線になっている。２列における穴の互いの整列及び各列における等しい穴間の間隔のため、ストラップが折り重ねられる場合、これはまた、他の列の２つの穴を整列させる。
【００５６】
図８に関して、各固定鋲（６８）は各列の２つの整列した穴を通り、その残りに沿った固定位置におけるメインストラップの端部を固定し、それによりメインストラップの折り重ねられた端部の長さを固定し、従ってメインストラップの全体の有効な長さに寄与する。固定鋲（６８）は、円形又は他の平面形状の一般に水平なディスク状のヘッド（７０）と、その平行平面におけるヘッドに対向するステム（ｓｔｅｍ）の端部から横に突出する垂直の脚部（７４）を運ぶために、ヘッド（７０）の１面から垂直に突出するステム（７２）に特徴がある。従って、そのヘッド（７０）に固定された鋲（６８）のＬ字状部分を定義するために、ステム及び脚部（７４）が組み合わされる。メインストラップ（３０’）の折り重ねられた端部は、整列されるこれら２つの部分の穴を有するストラップの残りに向かい合って配され、Ｌ字状の鋲（６８）は従って、折り重ねられた端部の正面外側に対して平坦なヘッド（７０）を置き、メインストラップ（３０’）の背面内側の後ろに脚部（７４）を差し込むため、整列した穴を通って引っ掛けることができる。
【００５７】
ベルトの穴は従って、ベルトの折り重ねられた端部が、異なるベルトストラップ長さの選択を可能にするためにそれ自体に固定され得る、選択可能な固定点の配列を提供する。ベルトが着用される場合、メインストラップのこの寸法は、相互に接続したメインストラップ、ストラップ部および閉鎖部材によって形成されたベルトの全体のサイズを調節するために使用される。すなわち、メインストラップの折り重ねられた端部の延長は、ベルトを締めるためにメインストラップの有効な全体の長さを短くし、折り重ねられた端部を短くすることにより、ストラップ組立体を延長し、ベルトを緩める。
【００５８】
図１に関して、第１実施形態は、第２実施形態のストラップ部に類似するストラップ部（６２’）を使用するが、Ｊ字状フック（６４’）が各ストラップ部の面に対する配向において各々反転され、その結果、図７の点線で示されるように、Ｊ字状の曲線のフック端部が、その接続部からＪ字状の直線のステムまで、ベルト部分の正面又は外側に対して曲がるという点を除く。第１実施形態の各Ｊ字状フック（６４’）は、曲線のフック端部をその背面スロット（２２ａ）、（２２ｂ）を介して各脚部に引っ掛けることにより、Ｖ字状の閉鎖部材（１２’）の各脚部に引っ掛かり、その結果、フックは、各側面のスロット（２０ａ）を覆う背面の脚部の面の無傷の部分（２４ａ）、（２４ｂ）に引っ掛かる。第１実施形態のメインストラップ（３０）及びストラップ部（６２）と、第２実施形態のものとの間の他の唯一の違いは、結果として生じるストラップ組立体のこれら構成要素が各々、１列のファスナーの穴のみを特徴とすることであり、そのため、１つの固定鋲（６８）は、選択された結果として生じるベルトのサイズに関する場所においてそれを固定するため、メインストラップ（３０）の各折り重ねられた端部にて利用される。
【００５９】
穴が付着点を定義するために使用される場合、穴の列の数が、第１実施形態の１列又は第２実施形態の２列から増加され得ることが認識されるであろう。また、締め付け可能なストラップ部の折り重ねによるサイズ調節及びストラップの端部の接続において、他のファスナーのタイプが代わりに使用され得、このような代案がベルトストラップを介する固定穴を利用し得る又は利用し得ないことも認識されるであろう。
【００６０】
メインベルトストラップと閉鎖部材の間の接続は、図示されたストラップ部及び閉鎖部材へのフック型の取付部以外の手段により達成されることも認識されるであろう。例えば、代替の実施形態は、図示された実施形態の多重部分のストラップ組立体の代わりに１つのベルトストラップを利用し、第１実施形態の閉鎖部材の側面及び背面スロットのより長い型を使用することにより、そこにあるスロットによって定義された各脚部における通路を介してベルトストラップの各自由端部の巻き付けを可能にし、その結果、ベルトの端部は、もう一度裏返して折り重ねられて該端部自体に固定され得るが、それに対する接続を達成するために閉鎖部材の各脚部を介してそれを行う。各脚部の縦軸に対する斜角にて背面スロットを伸ばし、その結果、スロットが直立して（ｕｐｒｉｇｈｔ）閉鎖部材に垂直となることは、ベルトストラップが、折り重ねる時にそれ自体を調整するため、及びベルトが着用者のウエスト回りを移動する方向においてベルトの締め付け中に閉鎖部材に及ぶ引張り力を導くように、通路を通って供給される時、その長さに対して一般に垂直な軸に沿って折り重なることを確実にするのに、好ましいものであり得る。
【００６１】
すなわち、第１のストラップ端部は、最初に第１の背面スロットを介して該端部を第１の脚部に通し、その後、第１の脚部の外側から出るため第１の側面スロットを前方に通すことにより、閉鎖部材の第１の脚部に接続される。図示された実施形態と比較するとより長いスロットの長さは、ベルトストラップの幅を提供するのに十分なものである。その後、ストラップの第１の自由端部は、閉鎖部材の第１の脚部を通る通路における方向を逆転するストラップの第１の折り重ねられた端部を形成するためにストラップの残りに沿って引き戻され、それにより、背面スロットの外側に無傷で残った脚部の背面部の部分の周りに巻きつく。ベルトを閉じるため、第２の自由端部は同様に、閉鎖部材の第２の脚部に係合され、その結果、ストラップおよび閉鎖部材は閉鎖したウエストループを集合的に定義する。すなわち、第２の自由端部は、最初に第２の背面スロットを通って第２の脚部へ通され、その後、第２の脚部の外側から出るため第２の側面スロットに前方に通す。その後、ストラップの第２の自由端部はストラップの残りに沿って引き戻されることで、閉鎖部材の第２の脚部を通る通路における方向を逆転するストラップの第２の折り重ねられた端部を形成し、それにより第２の脚部の背面スロットの外側に無傷で残った脚部の背面部の部分の周りに巻きつく。
【００６２】
ストラップの２つの折り重ねられた端部は、閉鎖部材の脚部における方向変更通路を介して移動することにより閉鎖部材と相互連結するストラップの有効な端部を形成するであろう。閉鎖部材によるストラップの有効な端部の相互接続によって閉鎖された、結果として生じるループの全体のサイズは、１つまたは両方の折り重ねられた端部がストラップの残りに沿って後ろに伸びる長さを変えることにより、調節することができる。すなわち、意図された着用者のウエスト回りに位置付けられ、第１の折り重ねられた端部がそれに沿って伸びる距離を固定するため、第１の折り重ねられた端部がストラップの残りで固定される時、ベルトは、ストラップの残りに更に沿ったストラップの第２の自由端部を引っ張ることにより締め付けられ得、第２の折り重ねられた端部のストラップの残りとの重なりが増す。これは、第２の折り重ねられた部分の長さを長くし、それによりストラップが閉鎖部材を介して折り重なる場所で定義された有効なストラップ端部の間に残されたストラップの残りによって定義された、ストラップの有効な長さを短くする。所望の締め付けを達成して、第２の折り重ねられた部分はその後、ベルトがサイズを調節し、開放し、取り外される必要があるまで、ベルトの有効な長さ又は締まりを固定するため、ストラップの残りに沿った所望の位置で固定される。ユーザーがより均整のとれた外観を好む場合、ベルトの締まり又はサイズは、それらがストラップの折曲げ時に有効な端部の間に残る、折り重ねられていない中央部分の所望の有効なサイズ又は長さを提供する、等しい又はほぼ等しい長さを有するまで、この方法で両方の折り重ねられた端部の長さを調節することにより達成され得る。
【００６３】
図１１〜１４は、前述の衣服の実施形態のような正面のウエスト部分における逆三角形のノッチ（１０２）を再び特徴とするが、このノッチのまわりのフライおよびピンを受ける通路の構造において、およびジーンズのウエスト部分のまわりで間隔を置かれた他の位置でのさらなるノッチの追加において異なる第２の実施形態の対のジーンズを示す。
【００６４】
図１１を参照すると、Ｖ字状の金属の取付部（１２１）は、ノッチ（１０２）の側面でジーンズに固定され、一端で一緒に接続され、ジーンズにおける閉鎖部材の脚部およびノッチ（１０２）の側面と同じ角度でそれらの接続から離れて分岐する、２本の直線的に伸びる取付脚部を示す。フライ（１１５）は、ジーンズの股から離れてウエストにおける示されたノッチ（１０２）の底部の方へと上方に伸びる直線的なステム、および三角ノッチ（１０２）のそれぞれの側面と平行な第１の分岐の上端部から斜めに伸びる直線的な分岐、およびそこから横方向に外側に向かって短い距離を置いて取付部（１２１）の対応する脚部を有する半Ｙの形状におけるジーンズにおいて提供される。例示される実施形態は、ジッパー（１１５ａ）によってほとんどのその長さにわたって開閉可能であり、フライが閉められる時にジッパー（１１５ａ）上のフライ構造の織物フラップ（１１６）の閉鎖を固定するためにフライの上部でボタン（１１７）を使用する、ジッパーフライ（ｚｉｐｐｅｒ  ｆｌｙ）を有する。フラップ（１１６）は、Ｙ字状であり、ノッチ（１０２）の側面および取付部の脚部と同じ分岐の角度でのノッチ（１０２）および取付部の対向する側面上で互いに斜めに分岐する２つの分岐部分、（１１６ａ）、（１１６ｂ）を有する。そのＹ字状のステムまたはベースを定義するフラップ（１１６）のステム部分（１１６ｃ）は、ジッパーの半Ｙの形状のステムに沿って分岐部分（１１６ａ）、（１１６ｂ）の接続された端部から下方へ伸びる。（１１６ｄ）で示されるように、フラップ（１１６）の分岐部分（１１６ｂ）の１つおよびステム部分（１１６ｃ）は、ノッチ（１０２）の一側面およびＶ字状の取付部（１２１）に対するフラップの外側エッジに沿ってジーンズの残部に縫い付けられる。
【００６５】
Ｖ字状の取付部（１２１）の各脚部は、脚部のそれぞれの対のプレートのような部分間のそれぞれのスロット（１１８ａ）、（１１８ｂ）を示すように、Ｕ字状の断面を有する。取付部（１２１）を設置するために、ジーンズの残部に縫い付けられる（または縫い付けられるであろう）フラップの分岐（１１６ｂ）の内側エッジは、ノッチのそれぞれの側面でジーンズのエッジと共に取付部（１２１）のそれぞれの脚部のスロット（１１８ｂ）内に収容される。フラップのもう一方の分岐（１１６ａ）の内側エッジは、取付部（１２１）のもう一方の脚部のスロット（１１８ａ）内に収容される。各脚部のプレートのような部分は、それらの間にデニムをはさむために一緒に圧縮され、フラップ上の取付部およびジーンズの残部または本体部分の安全で永続的な締め付けを完了するために、リベット（１１９）は、取付部の各脚部の対向するプレート面を介して係合される。ボタン穴は、取付部（１２１）のそれぞれの脚部とフラップの外側エッジの間のこの縫い付けられていない分岐の上端部の近くの位置でジーンズの本体部分に縫われたものとは反対のフラップ（１１６）の分岐（１１６ａ）内に提供される。従って、フラップがフライ（１１５）上で閉まっている場合、フライ開口部のそばのそのウエストの上方境界の真下のジーンズの本体部分に固定された雄ボタン（１１７）は、フライ開口部およびジッパーをカバーするこの閉鎖位置においてフラップを固定するために、それを通って係合可能となるようにボタン穴と一列に並ぶ。
【００６６】
チャネル（１２０）は、スロット（１１８ｂ）と取付部のプレートのような部分を一体的に接続する脚部のＵ字状の曲がった又は湾曲した端部との間のフラップ（１１６）の縫い付けられた分岐（１１６ｂ）上に固定された取付部（１２１）の脚部内で形成され、該取付部のプレートのような部分は、ここでは、ノッチ（１０２）のそれぞれの側面で、ジーンズの内部および外部上に固定して配置される。このチャネル（１２０）は、上端部から、２つの取付脚部が連結する下端部への取付部（１２０）の脚部に沿って直線的に伸び、それによって、その折り重ねられた織物部分によって第１の実施形態のジーンズで定義された通路（１１０）を交換するために、それに平行な線に沿ったノッチのそれぞれの側面に沿って伸びる。このチャネルまたは通路（１２０）は、以前に記載された同じ方法で上述の実施形態のベルト閉鎖部材（１２）、（１２’）のピン（１８）、（１８’）の摺動を収容するような寸法であることで、ジーンズ上の閉鎖部材を支持し、且つノッチの境界上に着用された閉鎖部材の閉鎖位置の中への及び外からの枢動を可能にし、これは、この実施形態において、並列をカバーする際に取付部（１２１）上に閉鎖部材を位置付ける。取付部材と閉鎖部材の間の選択的な連結を達成するピン挿入によって、取付部は、衣服上にフィットし、Ｖ字状の男性用ベルト閉鎖部材と結合可能な女性用のＶ字状の収容プレートによる圧縮（ａｃｃｅｐｔｉｎｇ  ｐｌａｔｅｓ  ｃｏｍｐｒｅｓｓｉｏｎ）を提供する。
【００６７】
第１の実施形態のジーンズ（１００）によって、ジーンズ上で枢動可能にぶら下げられたベルト閉鎖部材（１２）、（１２’）は、ピンを支持する枢動可能にサポートされた第１の脚部（１６ａ）と対向する閉鎖部材の第２の脚部（１６ｂ）へのベルトストラップ（３０）のそれぞれの有効な端部の接続によって、ジーンズにおけるノッチ（１０２）上で一列に並ぶ閉鎖位置又は着用位置で適所に保持された。第３の実施形態のジーンズ（１００’）での使用に関して、閉鎖部材（１２）、（１２’）は、その第２の脚部に取り付けられ、埋め込まれた、そうでなければその上で支持された磁石を有し、それによって、閉鎖部材のピンがＶ字状の取付部（１２１）のチャネル（１２０）に収容され、ノッチの境界でジーンズの外部の取付部の外側正面のプレートに対して閉鎖部材の他の脚部の最も近い面を閉じるために、閉鎖部材がピンの軸のまわりを枢動するときに、磁石と金属取付部（１２１）を作るために使用される強磁性体の間の引力は、閉鎖位置で閉鎖部材を保持するために閉鎖部材のこれらの脚部および取付部を一緒に一時的に固定する。言いかえれば、閉鎖部材の脚部の水平な最も近い面に挿入された、あるいはそうでなければ、この面で作用するための部材上に取り付けられた又は支持された磁石は、女性用のＶ字状の収容プレートに近づく又はそれに接触するときに、その上で係合する。
【００６８】
従って、ベルトのＶ字状の閉鎖部材は、ベルトの残部のないジーンズ、特に、ストレッチデニムを特徴とし、着用者の体に適切にフィットさせるためのベルトを必要としないジーンズ上で随意に着用され得る。別の実施形態において、ベルト閉鎖部材と同様のＶ字状構成を特徴とするが、ベルト接続の特徴を欠いている付属品は、取付部を備えたジーンズとともに着用され得る。取付部を備えたジーンズは、任意の個別のＶ字状の付属品またはベルト閉鎖部なしで、代替的に着用され得、取付部がその正面の外観において閉鎖部材の特性を模倣するため、特有な人目を引く外観を提供する。ベルト閉鎖部材のように、Ｖ字状の取付部は、支持ループ、穴またはノッチの後ろの露出した皮膚の背景に対してＶ字状の取付部の脚部の間にぶら下げるための装飾的な貴金属と接続可能な他の構成要素を備え得る。
【００６９】
図１２および１４に示されるように、ジーンズ（１００’）は、衣服の正面でのウエストバンドノッチに限定されず、さらなる又は代替的なノッチ（１０２’）、（１０２”）は、それぞれ、後部およびそのまわりの各側面で衣服のウエストへと下方に伸びてもよい。記載される正面のノッチのように、各ノッチは、金属のそれぞれのＶ字状の取付部、またはベルト閉鎖部または付属品の接続および支持のためのそれ以外の織物衣服上に強力な基盤を提供するために残りの衣服自体が作られるもととなる、柔軟なデニムより強い剛性を有する他の材料を特徴とし得る。
【００７０】
磁石がジーンズに対するＶ字状の閉鎖部材または付属品の保持に使用される場合、当然のことながら、ジーンズにおけるノッチに隣接する磁気的に引きつけ可能な材料を支持することは、磁気的に引きつけ可能な材料のＶ字状の本体部分の締め付けによって必ずしも提供される必要はない。例えば、Ｖ字状の取付部は、他の材料から本質的に形成され得るが、磁気引力が必要とされる１以上の部分で磁気的に引きつけ可能な材料を支持し得るか、または非Ｖ字状の１部の磁気的に引きつけ可能な材料は、その中のノッチに隣接するジーンズ自体に直接取り付けられ得る。十分な強度の１以上の磁石の使用または適切な位置決めは、ピン／チャネルの枢軸をなす接続または他の解放可能な締め付けの代わりに、ベルト閉鎖部または付属品の完全に磁気的な結合を利用する実施形態において使用され得る。ベルト閉鎖部／付属品およびジーンズ上で磁石および磁気的に引きつけ可能な材料の記載される位置決めが、衣服への部材の同じ解放可能な結合を行う間に切り替えられ得ることも認識されるであろう。
【００７１】
図５、６および９の第２の実施形態のＶ字状の閉鎖部材（１２’）は、衣服およびＶ字状の部材のわずかな変更によってベルトストラップ（すなわち、ベルト構造の一部としての代わりに独立したアクセサリーとして着用され得る）のない図１０のジーンズとともに着用され得る。
【００７２】
改良した閉鎖部材において、Ｖ字状の閉鎖部材の第２の脚部（１６ｂ）上で定義された形状（５０ｂ）の背面（５６ｂ）は、閉鎖部材の正面からさらにもっと突き出る隆起したボタンの形状を特徴とする。ボタン形状は、ストラップ部分のフックが係合する形状（５０ｂ）の水平な背面（５６ｂ）から通常は突き出るステム、およびフックを収容する形状の背面（５６ｂ）に対向するステムの遠心端で形成された拡大したヘッドを特徴とする。ボタン形状のヘッドは、フックを収容する形状の背面（５６ｂ）の水平な背面と平行な面においてそのすべての側面上のステムから外側へと突き出る。閉鎖部材の一体部分によって、または閉鎖部材とは別々に生み出され、続いて、その背面に締め付けられた１片または組立体によって定義されたボタン形状を有することが可能であり得る。
【００７３】
改良した衣服において、ボタン穴または開口部は、上方境界（１０４ａ）の下で短い距離を置いておよびノッチ（１０２）の第２の側面（１０６ｂ）から横方向に外側へと向かう短い距離を置いて、ジーンズのウエスト部分（１０４）において提供され、好ましくは、穴のまわりの縫われた強化材を備えた従来の方法で形成される。第１の脚部の上のピンが管状流路へと下げられた後、ボタン穴は、閉鎖部材の第２の脚部の上のボタン形状と協働する。従って、ボタンは、ノッチの境界でのジーンズの正面とは反対の又はちょうど正面の位置に、ボタン形状が突き出る、閉鎖部材の水平な面を位置付ける閉鎖位置において閉鎖部材を固定するために使用される。ボタン配置が締め付けられていない場合、閉鎖部材は、閉鎖部材のこの閉鎖位置から出てそこに戻るように、第１の脚部（１６ａ）の上のピンのまわりをもう一度枢動可能となる。Ｖ部材が衣服においてボタン穴を介して係合するように着用される時、支持されるボタン形状を、ノッチ（１０２）の側面に対して十分離して位置付けるために、Ｖ部材の脚部の幅が増加される必要があり得る。
【００７４】
女性用の異なる生産ラインは、本発明に従って提示され得る。シナリオＡは、随意の貴金属の挿入物を備えた正面のＶ字状のベルト閉鎖部を有する随意のベルトを備えたＶ字状の正面の女性用プレートを有する１対のジーンズを含み得る。シナリオＢは、随意の貴金属の挿入物を備えた正面および背面のＶ字状閉鎖部を有する随意のベルトを備えたＶ字状の正面および背面の女性用のプレートを有する１対のジーンズを含み得る。シナリオＣは、随意の貴金属の挿入物を備えた正面、背面および側面のＶ字状閉鎖部を有するＶ字状の正面、背面および側面の女性用のプレートおよび随意のベルトを有する１対のジーンズを含み得る。また、ジーンズは、ベルトストラップおよび閉鎖部なしで着用され得るか、またはＶ字状の閉鎖部／付属品および貴金属とともに着用得るが、１以上のＶベルト閉鎖部を受けることができるように設計されている。これらの典型的なシナリオにおいて、ジーンズが購入されると、それらには、衣服において圧縮された、またはリベットで留められた１、２または４の金属の女性用のＶ字状プレートが付属する。プレートが適切に備えられない限り、貴金属はこの時点で取り付け不可能である。１、２または４のＶ字状構造と一致するベルトは、随意の貴金属をＶ字状閉鎖部に取り付けることができるように、別々に購入され得る。複数のＶ字状閉鎖部の実施形態において、複数のベルトストラップが使用され、その中で組み立てられたベルトの異なる大きさの部分が、部分の対向する端部で閉鎖部材によって別の部分と相互連結される。これらのシナリオにおいて、一旦最初の対のジーンズが得られると、その後、購入者はさらなる貴金属の取付部を購入することができる。これらのシナリオは、本発明の範囲に限定しない。１つのさらなる可能性の例として、単一のＶ字状のベルト閉鎖部材を備えたワンピースのベルトストラップは、衣服のウエストの正面以外のどこかに位置したノッチ上の閉鎖部材とともに着用され得る。
【００７５】
例示される実施形態が、１対のジーンズに関して示され主として記載されるが、当然のことながら、ウエストのまわりで一般に着用される他の衣服は、同様のノッチを備え得、これは、この中央の正面位置に位置付けられ得るか、または位置付けされなくてもよい。例えば、他のパンツ、スカートまたはズボンは、本発明のベルトまたは付属品と協働して同様に構成され得、ウエストノッチの位置および数は、特に、フライを特徴としないウエストに着用される衣服用に変更され得る。
【００７６】
本明細書に上記の如く記載される私の発明において、様々な変更を行うことができ、同様の多くの明らかに多種多様な実施形態が、このような精神および範囲を逸脱することなく、特許請求の範囲の精神および範囲内でなされることができるため、添付の明細書に包含されるすべての事柄は、単に例示目的でのみ解釈され、限定する意味では解釈されないことを理解されたい。
【図１】
2013525040.tif 000003
【図２】
2013525040.tif 000004
【図３】
2013525040.tif 000005
【図４】
2013525040.tif 000006
【図５】
2013525040.tif 000007
【図６】
2013525040.tif 000008
【図７】
2013525040.tif 000009
【図８】
2013525040.tif 000010
【図９】
2013525040.tif 000011
【図１０】
2013525040.tif 000012
【図１１】
2013525040.tif 000013
【図１２】
2013525040.tif 000014
【図１３】
2013525040.tif 000015
【図１４】
2013525040.tif 000016
【国際調査報告】
2013525040.tif 000017
2013525040.tif 000018